(57)【要約】【課題】視聴者の目の高さに合うようにテレビ画面を遠隔操作により傾動させて自動調節することで視聴者に実時間で最適な画面位置を提供すると共に、自動化によって傾動される画面の調節を迅速で簡便に行える壁掛け型テレビの画面位置調節装置を提供する。【解決手段】本発明による壁掛け型テレビの画面位置調節装置は、壁体２に設置され、前面の上部に上側支持部１２が形成され、下部に下側支持部１４が形成された支持プレート１０と、支持プレート１０の下側支持部１４に結合されるジョイント部２４が背面下部の両端にそれぞれ形成され、上端部にジョイント部２２が設置され、前面にテレビジョン装置４が設置される傾動プレート２０と、を備える。傾動操作部３０は、支持プレート１０と傾動プレート２０との間に配置されており、上側支持部１２とジョイント部２２にそれぞれ結合され、傾動プレート２０の上端部を支持プレート１０に対して傾動させる。【選択図】図７
2007259453.tif 000002
【特許請求の範囲】
【請求項１】
壁体（２）に設置されると共に、前面に上側支持部（１２）及び下側支持部（１４）が設けられている支持プレート（１０）と、
前記支持プレート（１０）の下側支持部（１４）に結合されるジョイント部（２４）が背面下部の両端にそれぞれ設けられ、かつ、背面の上端部にジョイント部（２２）が設置されて、前面にテレビジョン装置（４）が設置される傾動プレート（２０）と、
前記支持プレート（１０）と前記傾動プレート（２０）との間に配置されて、前記上側支持部（１２）と前記ジョイント部（２２）にそれぞれ結合され、前記傾動プレート（２０）の上端部を、前記支持プレート（１０）に対して傾動させる傾動操作部（３０）と、を備えることを特徴とする壁掛け型テレビの画面位置調節装置。
【請求項２】
前記傾動操作部（３０）は、
前記支持プレート（１０）の前面に設置され、正逆回転されるロッド（３１ａ）が設置されているモーター（３１）と、
前記モーター（３１）のロッド（３１ａ）の端部に設置されて、該ロッド（３１ａ）の軸回転力を直角方向に転換させるギアボックス（３２）と、
前記ギアボックス（３２）に一端部が連結され、その他端部が前記ロッド（３１ａ）の正逆回転によって上下に伸縮される伸縮部（３３）と、
前記伸縮部（３３）の上端部と連結された回転軸（３４）であって、その両端部が前記支持プレート（１０）に支持された状態で正逆回転され、その外周面には、前記傾動プレート（２０）と連結されて、当該傾動プレート（２０）を押して又は引いて傾動させる連結リンク（３４ａ）を有する回転軸（３４）と、を備えることを特徴とする請求項１に記載の壁掛け型テレビの画面位置調節装置。
【請求項３】
前記伸縮部（３３）は、
前記ギアボックス（３２）と連結されて回転される雄ねじ部（３３ａ）と、
前記雄ねじ部（３３ａ）を覆ってねじ結合され、前記雄ねじ部（３３ａ）の正逆回転によって上下に移動される雌ねじ部（３３ｂ）と、を備えることを特徴とする請求項２に記載の壁掛け型テレビの画面位置調節装置。
【請求項４】
前記ギアボックス（３２）は、ウォームギア方式で前記ロッド（３１ａ）と前記伸縮部（３３）とを連結させる、ことを特徴とする請求項２又は３に記載の壁掛け型テレビの画面位置調節装置。
【請求項５】
前記伸縮部（３３）の雌ねじ部（３３ｂ）の上端部と前記回転軸（３４）との間には、前記回転軸（３４）と一体的に連結され、かつ前記雌ねじ部（３３ｂ）とヒンジ連結されるヒンジ片（３５）が設置される、ことを特徴とする請求項２又は３に記載の壁掛け型テレビの画面位置調節装置。
【発明の詳細な説明】
【技術分野】
【０００１】
本発明は壁掛け型テレビの画面位置調節装置に関し、より詳細には視聴者の目の高さに合うようにテレビの画面位置を自動調節するようにした壁掛け型テレビの画面位置調節装置に関する。
【背景技術】
【０００２】
一般的に大型液晶表示装置及びプラズマ表示パネルを採用したテレビの大型化によって、室内で空間を容易に確保し、そして視聴者が視聴するのに最適な高さにテレビを位置させるための選択肢として、テレビを壁面に設置するようにした壁掛け型テレビが普及しつつある。
【０００３】
このような壁掛け型テレビを壁面に設置する時には、ボルトなどの締結手段を使用して壁面に付着式で固定設置するか、又は昇降用ブラケットを壁面に予め設置した後、このブラケットの前面にテレビを装着して手動でテレビの画面位置を上下に調節する方式が主に使用されている。
【発明の開示】
【発明が解決しようとする課題】
【０００４】
しかしながら、このような従来の技術のテレビ設置方式の中で、ボルトなどの締結手段を使用した付着式は、視聴者の目の高さに合うようにテレビ画面の位置に関して上向き又は下向きに傾動させて調節することが不可能である。またブラケットを使用した設置方式は、テレビ画面の高低を調節することはできるが、視聴者が直接に手動でテレビの画面位置を調節しなければならないという煩わしさがある。
【０００５】
本発明は、上述の問題点を解決するためになされたもので、視聴者の目の高さに合うようにテレビ画面を遠隔操作で上下に傾動させて自動調節することで、視聴者に実時間で最適な画面位置を提供すると共に、自動化によって傾動される画面の調節を迅速で簡便に行えるようにした、壁掛け型テレビの画面位置調節装置を提供することを目的とする。
【課題を解決するための手段】
【０００６】
上記の目的を達成するために、本発明による壁掛け型テレビの画面位置調節装置は、壁体に設置されると共に、前面に上側支持部及び下側支持部が設けられている支持プレートと、前記支持プレートの下側支持部に結合されるジョイント部が背面下部の両端にそれぞれ設けられ、かつ背面の上端部にジョイント部が設置されて、前面にテレビジョン装置が設置される傾動プレートと、前記支持プレートと前記傾動プレートとの間に配置されて、前記上側支持部と前記ジョイント部にそれぞれ結合され、前記傾動プレートの上端部を前記支持プレートに対して傾動させる傾動操作部を備える。
【０００７】
また、本発明による壁掛け型テレビの画面位置調節装置において、前記傾動操作部は、前記支持プレートの前面に設置され、正逆回転されるロッドが設置されているモーターと、前記モーターのロッドの端部に設置されて、該ロッドの軸回転力を直角方向に転換させるギアボックスと、前記ギアボックスに一端部が連結され、その他端部が前記ロッドの正逆回転によって上下に伸縮される伸縮部と、前記伸縮部の上端部と連結された回転軸であって、その両端部が前記支持プレートに支持された状態で正逆回転され、その外周面には、前記傾動プレートと連結されて当該傾動プレートを押して又は引いて傾動させる連結リンクを有する回転軸と、を備えることが望ましい。
【０００８】
また、本発明による壁掛け型テレビの画面位置調節装置において、前記伸縮部は、前記ギアボックスと連結されて回転される雄ねじ部と、該雄ねじ部を覆ってねじ結合され、雄ねじ部の正逆回転によって上下に移動される雌ねじ部と、を備えることが望ましい。
【０００９】
また、本発明による壁掛け型テレビの画面位置調節装置において、前記ギアボックスは、ウォームギア方式で前記ロッドと前記伸縮部とを連結させることが望ましい。
【００１０】
また、本発明による壁掛け型テレビの画面位置調節装置において、前記伸縮部の雌ねじ部の上端部と前記回転軸との間には、該回転軸と一体的に連結され、かつ前記雌ねじ部とヒンジ連結されるヒンジ片が設置されることが望ましい。
【発明の効果】
【００１１】
以上のように、本発明による壁掛け型テレビの画面位置調節装置では、視聴者の目の高さに合うようにテレビ画面を遠隔操作により自動で傾動させて調節することで、視聴者に実時間で最適な画面位置を提供すると共に、自動化によって傾動されるテレビ画面の調節を迅速で簡便に行えるなどの効果を得ることができる。
【発明を実施するための最良の形態】
【００１２】
以下、本発明の一実施例による壁掛け型テレビの画面位置調節装置を、添付した図面を参照して詳細に説明する。
【００１３】
図１乃至図７に示すように、本発明の一実施例による壁掛け型テレビの画面位置調節装置は、壁体２に設置される支持プレート１０と、前面にテレビジョン装置４が設置される傾動プレート２０と、支持プレート１０及び傾動プレート２０とそれぞれ結合され、傾動プレート２０の上端部を、支持プレート１０に対して上向きに又は下向きに傾動させる傾動操作部３０を含む構成となっている。
【００１４】
支持プレート１０は、壁体２に設置され、前面の上端に上側支持部１２が形成され、また下端寄りの位置に下側支持部１４が形成された板形状である。特に、支持プレート１０については、階段形状に屈曲された両端部に締結孔（図示しない）を形成して、壁体２に単独に固定設置することもでき、あるいは壁体２に予め固定設置されている別途の昇降装置（図示しない）の上に結合されて上下に昇降される構成にすることもできる。
【００１５】
また、支持プレート１０の上側支持部１２には、この支持プレート１０の前面上端の両側において、互いに対面すると共に、傾動操作部３０の回転軸３４の両端部が回転可能にそれぞれ挿入される貫通孔１２ａが形成されている。
【００１６】
また、支持プレート１０の下側支持部１４の各々は、同一水平線上で並列に配置されており、傾動プレート２０の下端における両方のジョイント部２４のジョイント突起２４ａがそれぞれ回転可能に挿入されるように、上下方向に貫通した貫通孔１４ａが形成されている。
【００１７】
傾動プレート２０には、その背面に上側ジョイント部２２及び下側ジョイント部２４、２４が設置されており、これらのジョイント部は、支持プレート１０の上側支持部１２及び下側支持部１４にそれぞれ対応している。そして傾動プレート２０は、その前面にテレビジョン装置４が設置される板形状となっている。ここで、上側ジョイント部２２については、ボールの一側の外周にこのボールを取り囲んで左右にスライド可能とし、かつ傾動操作部３０の連結リンク３４ａと連結されるガイドソケット２２ａが設置されたボールジョイントとなっている。
【００１８】
また、下側ジョイント部２４については、ボールの一側部の外周面に、支持プレート１０の下側支持部１４の貫通孔１４ａを貫通して支持されるジョイント突起２４ａが形成されたボールジョイントとなっている。
【００１９】
傾動操作部３０は、支持プレート１０の前面に設置され、正逆回転されるロッド３１ａが設けられたモーター３１と、このモーター３１のロッド３１ａの端部に設置されて、このロッド３１ａの軸回転力を直角方向に転換させるギアボックス３２と、このギアボックス３２に一端部が連結され、かつ、その他端部がロッド３１ａの正逆回転によって上下に伸縮される伸縮部３３と、この伸縮部３３の上端部と連結された回転軸３４と、を含む構成となっている。そして回転軸３４は、その両端部が支持プレート１０に支持された状態で正逆回転されるようになっており、その外周面には、傾動プレート２０と連結されて、この傾動プレート２０を押したり引いたりしながら上下方向においてヒンジ回転させる連結リンク３４ａを備える。
【００２０】
ここで、伸縮部３３は、ギアボックス３２を介してロッド３１ａと連結されてその位置で回転される雄ねじ部３３ａと、この雄ねじ部３３ａを覆ってねじ結合され、雄ねじ部３３ａの正逆回転に伴って上方又は下方に移動する雌ねじ部３３ｂを含む。
【００２１】
また、ギアボックス３２は、ウォームギア方式でロッド３１ａと雄ねじ部３３ａとを連結させる。即ち、互いに連結されるロッド３１ａ及び雄ねじ部３３ａの端部にそれぞれウォームギアが連結され、それぞれのウォームギアが互いに噛み合ってロッド３１ａの回転力を、直角方向に配置されている雄ねじ部３３ａに伝逹することができる。
【００２２】
尚、ギアボックス３２に関して、ウォームギア以外にも回転力を直角方向に転換させることができるラックピニオンギア、ベベルギアなど、多様なギアの組み合せを採用することができる。
【００２３】
また、回転軸３４はロッド形状をなし、その両端部において、支持プレート１０の両方の上側支持部１２の各貫通孔１２ａに回転可能な状態で挿入されて支持される。回転軸３４は、その中央部に連結リンク３４ａを有する。この連結リンク３４ａは、それらの各端部が、回転軸３４、及び傾動プレート２０の上側ジョイント部２２のガイドソケット２２ａに結合される。そして、連結リンク３４ａは、その中央部がヒンジ連結されたＶ字形状をなしており、回転軸３４の正逆回転によって折り畳まれるか又は開かれ、これに伴って傾動プレート２０を押すか又は引くことになる。
【００２４】
また、伸縮部３３の雌ねじ部３３ｂの上端部と回転軸３４との間にはヒンジ片３５が設けられている。このヒンジ片３５は回転軸３４と一体的に連結され、雌ねじ部３３ｂとヒンジ連結される。
【００２５】
このような構成による本発明の一実施例の壁掛け型テレビの画面位置調節装置では、壁体２に支持プレート１０を固定設置した後、その前面に傾動操作部３０を配置して、その回転軸３４の両端部を、支持プレート１０の上側支持部１２にて、回転可能に挿入して支持する。その後、傾動プレート２０によって、傾動操作部３０の前面を覆う。傾動プレート２０の上側ジョイント部２２のガイドソケット２２ａと、傾動操作部３０の連結リンク３４ａとを連結させると共に、下側ジョイント部２４のジョイント突起２４ａが支持プレート１０の下側支持部１４の貫通孔１４ａに挿入支持されるようにして、本発明による壁掛け型テレビの画面位置調節装置が組み立てられて完成する。
【００２６】
このような状態において、視聴者は離れた場所でリモートコントローラーなどの遠隔制御装置で各自の目の高さに合うようにテレビジョン装置４の画面の上下傾動角を調節することができる。
【００２７】
例えば、テレビジョン装置４の画面を下向きに傾動操作しようとする場合、モーター３１を作動させて、ロッド３１ａが所望の方向に回転されるようにし、このロッド３１ａの回転力がギアボックス３２を介して、直角方向に配置されている伸縮部３３の雌ねじ部３３ｂを上方に押し出すようになり、ここでこの雌ねじ部３３ｂとヒンジ片３５で連結されている回転軸３４が連動して回転することで、続いて連結リンク３４ａが前方へと伸びることになる。この時、傾動プレート２０は下端部がヒンジ連結で取り付けられた状態とされるため、連結リンク３４ａはそのＶ字形状が開かれながら傾動プレート２０の上端部を前方に押し出すこととなり、その結果、テレビ画面が下向きに傾動する。
【００２８】
尚、本発明の詳細な説明では具体的な実施例に関して説明したが、当業者であれば、本発明の思想及び範囲から逸脱することなく、様々な変形を加えた実施が可能である。
【００２９】
また、本発明の範囲が上記に説明した実施例に限定されることはなく、特許請求の範囲の記載だけでなく、特許請求の範囲の記載事項と均等なものなどを包含する。
【図面の簡単な説明】
【００３０】
【図１】本発明の一実施例による壁掛け型テレビの画面位置調節装置の支持プレートを示す斜視図である。
【図２】本発明の一実施例による壁掛け型テレビの画面位置調節装置の傾動プレートを示す斜視図である。
【図３】本発明の一実施例による壁掛け型テレビの画面位置調節装置の傾動操作部を示す斜視図である。
【図４】本発明の一実施例による壁掛け型テレビの画面位置調節装置の傾動操作部が支持プレートに結合されている状態を示す概路図である。
【図５】本発明の一実施例による壁掛け型テレビの画面位置調節装置における、傾動操作部の連結リンクと傾動プレートの上側ジョイント部とが結合されている状態を示す斜視図である。
【図６】本発明の一実施例による壁掛け型テレビの画面位置調節装置について、作動前の状態を示す概略側面図である。
【図７】本発明の一実施例による壁掛け型テレビの画面位置調節装置について、作動後の状態を示す概略側面図である。
【符号の説明】
【００３１】
２  壁体
４  テレビジョン装置
１０  支持プレート
１２  上側支持部
１２ａ  貫通孔
１４  下側支持部
１４ａ  貫通孔
２０  傾動プレート
２２  上側ジョイント部
２２ａ  ガイドソケット
２４  下側ジョイント部
２４ａ  ジョイント突起
３０  傾動操作部
３１  モーター
３１ａ  ロッド
３２  ギアボックス
３３  伸縮部
３３ａ  雄ねじ部
３３ｂ  雌ねじ部
３４  回転軸
３４ａ  連結リンク
３５  ヒンジ片
【図１】
2007259453.tif 000003
【図２】
2007259453.tif 000004
【図３】
2007259453.tif 000005
【図４】
2007259453.tif 000006
【図５】
2007259453.tif 000007
【図６】
2007259453.tif 000008
【図７】
2007259453.tif 000009